(57)【要約】      （修正有）【課題】製造速度を上げて、効率を高め安価なクリーナ用粘着式ローラーを製造する方法を提供する。【解決手段】同時に２本の刃１，５を使用すること、及び一本目の刃１をクリーナ用粘着式ローラーの下流側の端部から入れ、二本目の刃５をクリーナ用粘着式ローラーの横軸中央部付近から入れて、同時に一本目の刃１と同じ角度に切り目を入れることによって、クリーナ用粘着式ローラーの製造速度を上げると共に、刃の耐久性を上げる。【選択図】図１
2011240089.tif 000002
【特許請求の範囲】
【請求項１】
クリーナ用粘着式ローラーを引き出す方向即ち下流側からクリーナ用粘着式ローラーを巻き込む方向即ち上流側に向ってかつクリーナ用粘着式ローラーの軸方向の片側から他の側へ向けて切り目を入れ、クリーナ用粘着式ローラーの軸方向の他の側へ行き着く前に切り目を止めることを特徴とするクリーナ用粘着式ローラーに切り目を入れる際に、製造効率を上げるために、同時に２本の刃を使用することを特徴とするクリーナ用粘着式ローラーの製造方法
【請求項２】
請求項１のクリーナ用粘着式ローラーの製造方法において、一本目の刃をクリーナ用粘着式ローラーの下流側の端部から入れ、二本目の刃をクリーナ用粘着式ローラーの横軸中央部付近から入れて、同時に一本目の刃と同じ角度に切り目を入れることを特徴とするクリーナ用粘着式ローラーの製造方法
【発明の詳細な説明】
【技術分野】
【０００１】  この発明はクリーナ用粘着式ローラーを引き出す方向即ち下流側からクリーナ用粘着式ローラーを巻き込む方向即ち上流側に向ってかつクリーナ用粘着式ローラーの軸方向の片側から他の側へ向けて切り目をいれ、クリーナ用粘着式ローラーの軸方向の他の側へ行き着く前に切り目を止めることを特徴とするクリーナ用粘着式ローラーの製造方法において、１本のクリーナ用粘着式ローラーに切り目を入れる時間を短縮して、製造効率を高める方法に関するものである。
【背景技術】
【０００２】  従来この種のクリーナ用粘着式ローラーを引き出す方向即ち下流側からクリーナ用粘着式ローラーを巻き込む方向即ち上流側に向ってかつクリーナ用粘着式ローラーの軸方向の片側から他の側へ向けて切り目をいれ、クリーナ用粘着式ローラーの軸方向の他の側へ行き着く前に切り目を止めることを特徴とするクリーナ用粘着式ローラーの製造方法として実用化されたものはなく、連続的に斜めに切込みを入れるため製造が難しく、商品化が極めて困難であった。これらの製造方法については、既に特願２００８−２０１２４０及び特願２００９−９６４７９に示されているが、さらに製造速度を上げて、効率を高め安価なクリーナ用粘着式ローラーを製造する方法が必要であった。
【発明の開示】
【発明が解決しようとする課題】
【０００３】  クリーナ用粘着式ローラーを引き出す方向即ち下流側からクリーナ用粘着式ローラーを巻き込む方向即ち上流側に向ってかつクリーナ用粘着式ローラーの軸方向の片側から他の側へ向けて切り目をいれてみると、切り代が長く時間がかかると共に、長時間刃に無理な力がかかるため、刃の耐久性を維持することが困難な状況が発生した。従って、これを商品化するためには、製造速度を上げると共に、刃の耐久性を上げる手段を講じる必要がある。
【課題を解決するための手段】
【０００４】  本発明は、上記の課題を解決するために考案したもので、▲１▼同時に２本の刃を使用すること、及び▲２▼一本目の刃をクリーナ用粘着式ローラーの下流側の端部から入れ、二本目の刃をクリーナ用粘着式ローラーの横軸中央部付近から入れて、同時に一本目の刃と同じ角度に切り目を入れることによって、製造速度を上げると共に、刃の耐久性を上げるものである。
【発明の効果】
【０００５】  本発明により、製造速度を上げると共に、刃の耐久性を上げ、オートメイション装置の実現化を可能にして、コストの低減を図り商品化の実現に寄与するものである。
【発明を実施するための最良の形態】
【０００６】  以下、本発明のクリーナ用粘着式ローラーの切り込み方法における最良の形態について、図面を参照して説明する。
【実施例１】
【０００７】  図１は、クリーナ用粘着式ローラーと一本目の刃と二本目の刃の切り込み開始位置及びそれぞれの移動方向を示す斜視図である。１は一本目の刃、２は一本目の刃の移動方向、３はクリーナ用粘着式ローラーの回転方向、４はクリーナ用粘着式ローラー、５は二本目の刃、６は二本目の刃の移動方向を示す。
【産業上の利用可能性】
【０００８】  今日では、粘着式ローラークリーナは、主としてカーペットやフローリングのゴミを取るために事務所や家庭内等広い範囲にわたって使用されており、今後とも電気掃除機と併用して使用されることが見込まれる。また、粘着式ローラークリーナは小型で軽量であるため簡便的に掃除するのに便利である。
電気掃除機の場合、送風によりチリやほこりを舞い上げてしまうため、掃除をした後に宙に舞い上がったチリやほこりが再び床に落ち、汚れが取れていない状況が発生する。
粘着式ローラークリーナの場合は、チリやほこりを舞い上げることなく除去するため、はじめに粘着式ローラークリーナを使用してほとんどのゴミやほこりを除いた後に、電気掃除機で粘着式ローラークリーナではとりにくい隅々のゴミやほこりを取り除くのが最も効果的であるとの評価がある。
ところが、従来の粘着式ローラークリーナの使用に当たって、使用後の粘着テープを簡単に剥離させることが困難な状況が多発しているため、取り扱いが悪く、使用者がいらいらする場合が多い。
この取り扱いを良くするために、クリーナ用粘着式ローラーを引き出す方向即ち下流側からクリーナ用粘着式ローラーを巻き込む方向即ち上流側に向ってかつクリーナ用粘着式ローラーの軸方向の片側から他の側へ向けて切り目をいれ、クリーナ用粘着式ローラーの軸方向の他の側へ行き着く前に切り目を止めることを特徴とするクリーナ用粘着式ローラーが考案され、その製造方法についてもいくつか考案されている。
本発明は、これらの考案をさらに改善し、製造効率及び刃の耐久性を上げることができるため、商品化するためのオートメイション装置を実現化するために有効である。
この使用者側即ち顧客の目線に立って製造する粘着式ローラークリーナが商品化されることにより、顧客満足度が高まることから、市場の要求が高まることが予想されるため、産業上の利用可能性が極めて高いものである。
【図面の簡単な説明】
【図１】  クリーナ用粘着式ローラーと一本目の刃と二本目の刃の切り込み開始位置及びそれぞれの移動方向を示す斜視図である。
【符号の説明】１；一本目の刃
２；一本目の刃の移動方向
３；クリーナ用粘着式ローラーの回転方向
４；クリーナ用粘着式ローラー
５；二本目の刃
６；二本目の刃の移動方向
【図１】
2011240089.tif 000003
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
粘着テープが巻かれたクリーナ用粘着式ローラーを回転させながら、一本目の刃を前記クリーナ用粘着式ローラーの一端部から中央部分へ該クリーナ用粘着式ローラーの軸方向へ移動させて切れ目を入れ、前記一本目の刃と同時に２本目の刃を、前記クリーナ用粘着式ローラーの中央部分から他端部の手前まで該クリーナ用粘着式ローラーの軸方向へ移動させて切れ目を入れ、粘着テープを引き出す方向から巻き込む方向へ向かって、前記クリーナ用粘着式ローラーに切れ目を形成するクリーナ用粘着式ローラーの製造方法。
【請求項２】
前記一本目の刃と前記二本目の刃で形成された切れ目をクリーナ用粘着式ローラーの軸に対して同じ角度とする請求項１に記載のクリーナ用粘着式ローラーの製造方法。
【手続補正２】
【補正対象書類名】明細書
【補正対象項目名】０００１
【補正方法】変更
【補正の内容】
【０００１】
この発明は、クリーナ用粘着式ローラーへ斜めに切れ目を入れるクリーナ用粘着式ローラーの製造方法に関するものである。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
粘着テープが巻かれたクリーナ用粘着式ローラーを回転させながら、一本目の刃を前記クリーナ用粘着式ローラーの軸方向一端部から軸方向中央部分へ該クリーナ用粘着式ローラーの軸方向へ移動させて切れ目を入れ、前記一本目の刃と同時に２本目の刃を、前記一本目の刃が形成する切れ目の終端部から前記クリーナ用粘着式ローラーの軸方向他端部の手前まで該クリーナ用粘着式ローラーの軸方向へ移動させて切れ目を入れ、粘着テープを引き出す方向から巻き込む方向へ向かって、前記クリーナ用粘着式ローラーに前記一本目の刃が形成した切れ目と前記二本目の刃が形成した切れ目とが連続するように切れ目を形成するクリーナ用粘着式ローラーの製造方法。
【請求項２】
前記一本目の刃と前記二本目の刃で形成された切れ目をクリーナ用粘着式ローラーの軸に対して同じ角度とする請求項１に記載のクリーナ用粘着式ローラーの製造方法。
【手続補正２】
【補正対象書類名】明細書
【補正対象項目名】０００４
【補正方法】変更
【補正の内容】
【０００４】
本発明は、上記の課題を解決するため、粘着テープが巻かれたクリーナ用粘着式ローラーを回転させながら、一本目の刃を前記クリーナ用粘着式ローラーの軸方向一端部から軸方向中央部分へ該クリーナ用粘着式ローラーの軸方向へ移動させて切れ目を入れ、前記一本目の刃と同時に２本目の刃を、前記一本目の刃が形成する切れ目の終端部から前記クリーナ用粘着式ローラーの軸方向他端部の手前まで該クリーナ用粘着式ローラーの軸方向へ移動させて切れ目を入れ、粘着テープを引き出す方向から巻き込む方向へ向かって、前記クリーナ用粘着式ローラーに前記一本目の刃が形成した切れ目と前記二本目の刃が形成した切れ目とが連続するように切れ目を形成することを特徴とする。